(57)【要約】【課題】極性有りの浴槽用循環接続具において、給湯器に往き配管及び戻り配管を接続するときに、往きと戻り側が逆に接続してしまうと給湯器が作動せず、逆接続がすぐに判別できる浴槽用循環接続具を提供する。【解決手段】往き配管の接続管２と戻り配管の接続管３が設けられた外部材４に内部材５を螺合し、仕切り部材１０で上記内部材５の内部を吸込み側通路８と吐出側通路９に仕切り、上記仕切り部材１０の先端側にフィルター部材１３を取り付け、上記外部材４の内部に、吸込み側通路８を往き配管の接続管２と戻り配管の接続管３の何れかに切替え接続するための切替栓１５を設けた極性有りの浴槽用循環接続具１ａにおいて、上記吐出側通路９の途中又は吐出口１２の部分に、吐出口１２から吐出側通路９へ向けての水流を阻止する逆止弁３１が設けてある。【選択図】  図１
2004270969.tif 000002
【特許請求の範囲】
【請求項１】
往き配管の接続管と戻り配管の接続管が設けられた外部材と、この外部材内に螺合する内部材と、この内部材の内部を吸込み側通路と吐出側通路に仕切る仕切り部材と、上記仕切り部材の先端側に取り付け可能に取り付けられ、前面側に吸込み側通路と連通する吸込み口と周囲に吐出側通路と連通する吐出口が設けられたフィルター部材と、上記外部材の内部に、吸込み側通路を往き配管の接続管と戻り配管の接続管の何れか一方に切替え接続するための切替栓を設けた浴槽用循環接続具において、上記吐出側通路の途中又は吐出口の部分に、吐出口から吐出側通路へ向けての水流を阻止する逆止弁を設けたことを特徴とする浴槽用循環接続具。
【請求項２】
上記切替栓は、外部材に対して、往き配管の接続管と戻り配管の接続管の中間の位置を中心に回転可能に取り付けられ、回転によって往き配管の接続管と戻り配管の接続管の何れか一方と導通する切替孔を有し、上記逆止弁が切替栓の切替孔と回転軸心を挟んだ位置に、切替栓と一体に回転動するよう取り付けられていることを特徴とする請求項１に記載の浴槽用循環接続具。
【請求項３】
上記フィルター部材の外周で吐出口が開口する部分を凹入部に形成し、この凹入部に上記逆止弁を設けたことを特徴とする請求項１に記載の浴槽用循環接続具。
【発明の詳細な説明】
【０００１】
【発明の属する技術分野】
この発明は、浴槽の側壁に取り付け、外部に設置される給湯器の往き配管及び戻り配管を浴槽に接続し、給湯器での温湯を浴槽に対して吐出及び吸い込んで強制循環させるために用いる極性有りの浴槽用循環接続具に関する。
【０００２】
【従来の技術】
浴槽の側壁に取り付け、温湯を吐出及び吸い込んで浴槽と給湯器の間で強制循環させるための浴槽用循環接続具には、往き配管の接続管と戻り配管の接続管に対して給湯器の往き配管及び戻り配管の接続を一致させる必要のある極性有りタイプと、両接続管に対して往き配管及び戻り配管の何れを接続しても作動する無極性タイプがあり、後者の無極性タイプは、構造が複雑で内部に例えば四個の逆止弁を組み込む必要があるため、どうしても軸方向の寸法が大型化し、浴槽の側壁に取り付けたとき、浴槽内に位置させる部分の飛び出し量が大きくなるという問題がある。
【０００３】
これに対して、前者の極性有りタイプは、逆止弁の組み込みが必要ないため、比較的構造が簡単となり、浴槽内に位置させる部分の飛び出し量が少ないという利点がある。
【０００４】
図６は、従来の極性有りタイプの浴槽用循環接続具１を示し、後端壁に往き配管の接続管２と戻り配管の接続管３が設けられた外部材４と、この外部材４の内部に螺合する筒状の内部材５と、この内部材５の内部に挿入された状態で、先端のフランジ部６を内部材５の前端面に重ねてビス７で固定され、内部が吸込み側通路８となり、外周と内部材５の内周の間に吐出側通路９を形成する仕切り部材１０と、上記仕切り部材１０の先端側フランジ部６に外嵌するよう取り付けられ、前面側に吸込み側通路８と連通する吸込み口１１と周囲に吐出側通路９と連通する吐出口１２が設けられたフィルター部材１３と、上記外部材４の内部で仕切り部材１０に水密状に外嵌し、ビス１５ａで外部材４の後端壁に固定され、１８０°回転させることにより、切替孔１４で、吸込み側通路８を往き配管の接続管２と戻り配管の接続管３の何れかに切替え接続することができる切替栓１５を設けた構造になっている。
【０００５】
上記浴槽用循環接続具１は、外部材４の先端フランジ部１６と内部材５の先端フランジ部１７で浴槽Ａの側壁を内外からパッキン１８、１９を介して挟み、上記側壁に貫通状となるよう取り付け、往き配管の接続管２は往き配管を、また、戻り配管の接続管３は戻り配管を介して給湯器と接続するようになっている。
【０００６】
このような浴槽用循環接続具１は、図５のように、切替栓１５の切替孔１４を戻り配管の接続管３と連通させた状態で出荷され、従って、往き配管の接続管２に往き配管を、また、戻り配管の接続管に戻り配管を接続する必要があり、このため、両接続管２、３の外面に水の流れ方向を示す矢印と往又は戻の文字からなる表示部２０を設け、往き配管と戻り配管の接続が識別できるようにしている。
【０００７】
【発明が解決しようとする課題】
しかし、上記のような表示部２０は、浴槽用循環接続具１の位置では往き配管と戻り配管の判別できるが、離れた位置にある給湯器側に対して、往き配管及び戻り配管を接続するときに、往きと戻りの判別ができないので、給湯器側に対して往き配管と戻り配管を逆に接続してしまう事態が往々に発生する。
【０００８】
上記のように、給湯器側において、往き配管と戻り配管が逆に接続されると、吸込み側通路８を通って吸込み口１１から浴槽Ａ内に温湯が吐出し、吐出口１２から浴槽Ａ内の温湯が吸込まれることになり、このため、往き配管と戻り配管を逆に接続しても風呂が使えるため、施工者が気付かず、ユーザからのクレームで逆接続が分かるケースが多かった。
【０００９】
このように、往き配管と戻り配管を逆に接続すると、フィルター部材１３の前面から直線的に温湯が吐出するため、攪拌効果が少なく、入浴者に火傷を生じさせる危険性がある。
【００１０】
なお、上記のような逆接続が判明すると、フィルター部材１３と仕切り部材１０を取り外し、ビス１５ａを緩めて切替栓１５を１８０°回転させ、切替孔１４を往配管の接続管２と連通させ、この後、仕切り部材１０とフィルター部材１３を取り付けることにより、逆接続の問題解消を図ることができるが、このような切替は、正確に接続されていれば行わないですむ余分な作業である。
【００１１】
そこで、この発明の課題は、極性有りの浴槽用循環接続具において、給湯器側に往き配管及び戻り配管を接続するときに、往きと戻り側の判別が簡単にでき、往き配管と戻り配管を逆に接続してしまう事態の発生を防ぎ、取り付け後の手直し作業を不要にすることができる浴槽用循環接続具を提供することにある。
【００１２】
【課題を解決するための手段】
上記のような課題を解決するため、この発明は、往き配管の接続管と戻り配管の接続管が設けられた外部材と、この外部材内に螺合する内部材と、この内部材の内部を吸込み側通路と吐出側通路に仕切る仕切り部材と、上記仕切り部材の先端側に取り付け可能に取り付けられ、前面側に吸込み側通路と連通する吸込み口と周囲に吐出側通路と連通する吐出口が設けられたフィルター部材と、上記外部材の内部に、吸込み側通路を往き配管の接続管と戻り配管の接続管の何れか一方に切替え接続するための切替栓を設けた浴槽用循環接続具において、上記吐出側通路の途中又は吐出口の部分に、吐出口から吐出側通路へ向けての水流を阻止する逆止弁を設けた構成を採用したものである。
【００１３】
上記切替栓は、外部材に対して、往き配管の接続管と戻り配管の接続管の中間の位置を中心に回転可能に取り付けられ、回転によって往き配管の接続管と戻り配管の接続管の何れか一方と導通する切替孔を有し、上記逆止弁が切替栓の切替孔と回転軸心を挟んだ位置に、切替栓と一体に回転動するよう取り付けられている構造としたり、上記フィルター部材の外周で吐出口が開口する部分を凹入部に形成し、この凹入部に上記逆止弁を設けた構造を採用することができる。
【００１４】
上記逆止弁は、吐出口から吐出側通路へ向けての水流によって閉弁し、吐出側通路から吐出口に向けての水の流れで開弁することになり、これによって、吐出口から浴槽内温湯の吸い込み発生をなくし、万一誤って配管が逆接続されても、給湯器が作動しないため、風呂が沸かせないことで、配管の接続が逆の場合はすぐに判るという利点がある。
【００１５】
また、切替栓は、先端側で開口する円筒状に形成され、仕切り部材はこの切替栓内に抜き差し自在となるよう水密状に嵌合する円筒状となり、給湯器に配管を接続するとき、仕切り部材を抜き取って切替栓の内部に一人施工棒を挿入し、往き配管と戻り配管の判別が行えるようになっている。
【００１６】
即ち、上記一人施工棒は、所定長さを有する軸体の先端に切替栓内へ弾力的に嵌合する閉塞部材を設けて形成され、該一人施工棒の閉塞部材を切替栓内へ挿入した状態で、切替栓の開口は閉塞されるので、配管に口で息を吹き込むと、往き配管の場合は空気が抜け、戻り配管の場合は空気が抜けないので、往き配管と戻り配管が判別できることになる。
【００１７】
【発明の実施の形態】
以下、この発明の実施の形態を図示例と共に説明する。なお、図６で示した従来の浴槽用循環接続具１と同一部分は、同一符号を用いて説明する。
【００１８】
図１と図２のように、極性有りの浴槽用循環接続具１ａは、後端が閉鎖された円筒状の外部材４と、上記外部材４の内部に螺合する円筒状の内部材５と、内部材５内に挿入する仕切り部材１０と、仕切り部材１０の先端に取り付けるフィルター部材１３と、上記外部材４の内部に収納され、仕切り部材１０に対して外嵌する切替栓１５とを備えている。
【００１９】
上記外部材４は、先端部外周にフランジ部１６が設けられ、後端壁に往き配管の接続管２と戻り配管の接続管３が内部と連通状に接続され、両接続管２、３の外面に、水の流れ方向を示す矢印と往又は戻の文字からなる表示部２０が設けられている。
【００２０】
上記内部材５は、先端部外周にフランジ部１７が設けられ、外部材４の内部に螺合することにより取り付けられ、浴槽Ａの側壁に設けた取り付け孔Ｂに内部材５を貫通させ、外部材４と内部材５を螺合して、外部材４の先端フランジ部１６と内部材５の先端フランジ部１７で浴槽Ａの側壁を内外からパッキン１８、１９を介して挟むことにより、浴槽用循環接続具１ａが浴槽Ａの側壁に取り付けられる。
【００２１】
上記仕切り部材１０は、円筒部１０ａの先端に設けたフランジ部６を内部材５の前端面に重ねてビス７で固定され、円筒部１０ａの内部が吸込み側通路８となり、円筒部１０ａの外周と内部材５の内周の間に吐出側通路９を形成している。
【００２２】
上記フィルター部材１３は、上記仕切り部材１０の先端側フランジ部６に外嵌するよう取り外し可能に取り付けられ、その前面側に吸込み側通路８と連通する吸込み口１１と、周囲の下部両側の位置に吐出側通路９と連通する吐出口１２が設けられている。
【００２３】
このフィルター部材１３は、図示の場合、仕切り部材１０の先端フランジ部６に着脱可能に外嵌する合成樹脂製のフィルター本体１３ａと、このフィルター本体１３ａに外嵌した金属製の外層部材１３ｂと、フィルター本体１３ａと外層部材１３ｂの間に介在させたパンチングメタル１３ｃとからなり、図３のように外層部材１３ｂの前面とフィルター本体１３ａに、複数に分割した吸込み口１１が設けられ、パンチングメタル１３ｃの吸込み口１１と対応する位置がフィルター１３ｃになっている。
【００２４】
また、フィルター本体１３ａと外層部材１３ｂの下部両側の位置に設けた吐出口１２は、仕切り部材１０の先端フランジ部６と内部材５のフランジ部１７間に形成した通路１２ａを介して吐出側通路９と連通し、下部両側から温湯を吐出するようになっている。
【００２５】
上記切替栓１５は、外部材４の内部で仕切り部材１０の円筒部１０ａに水密状に外嵌する円筒部の後端が後壁で閉鎖され、後壁が外部材４の後端壁に重なり、この後壁がビス１５ａで外部材４の後端壁の往き配管の接続管２と戻り配管の接続管３の中間位置に取り付けられ、ビス１５ａを緩めて１８０°回転させることにより、後壁に設けた切替孔１４で、吸込み側通路８を往き配管の接続管２と戻り配管の接続管３の何れかに切替え接続することができるようになっている。
【００２６】
この発明の浴槽用循環接続具１ａは、上記吐出側通路９の途中又は吐出口１２の部分に、吐出口１２から吐出側通路９へ向けての水流を阻止する逆止弁３１が設けられている。
【００２７】
図１に示す第１の実施の形態は、逆止弁３１を切替栓１５の後壁に取り付けた例を示している。
【００２８】
この逆止弁３１は、切替栓１５の後壁で、該切替栓１５の回転軸心を挟んで切替孔１４と反対側の位置に、この切替栓１５と一体に回動するよう取り付けられ、図１のように、切替栓１５の切替孔１４が戻り配管の接続管３と連通する位相にあるとき、逆止弁３１は、往き配管の接続管２と吐出側通路９を連通するよう外部材４の後端壁に設けた連通孔９ａを閉弁することになる。
【００２９】
また、図１の状態から切替栓１５を１８０°回動させて、その切替孔１４が往き配管の接続管２と連通する位相にあるとき、逆止弁３１は、戻り配管の接続管３と吐出側通路を連通するよう外部材４の後端壁に設けた連通孔９ｂを閉弁することになる。
【００３０】
従って、切替栓１５を何れの位相にした場合でも、逆止弁３１は、吐出口１２から吐出側通路９へ向けての水流で閉弁してこれを阻止し、逆に吐出側通路９から吐出口１２側に向けての水の流れを許容することになる。
【００３１】
図２に示す第２の実施の形態は、逆止弁３１をフィルター部材１３の下部両側に設けた吐出口１２の内部に組み込んだ例を示している。
【００３２】
図２（Ｂ）のように、フィルター本体１３ａの外周で吐出口１２が開口する部分の内側を凹入部３２に形成し、通路１２ａの凹入部３２に開口する部分の周囲を段付きの弁座とし、上記凹入部３２に断面Ｌ型の逆止弁３１を、弁座に当接するよう組み込んでフィルター本体１３ａに取り付け、この逆止弁３１は、吐出口１２から吐出側通路９へ向けての水流を閉弁により阻止し、逆に吐出側通路９から吐出口１２へ向けての水流を開弁によって許容するようになっている。
【００３３】
また、この発明の浴槽用循環接続具１ａには、給湯器に配管を接続するとき、往き配管と戻り配管の判別を行うための一人施工棒３３が用意されている。
【００３４】
図４に示す第１の例の一人施工棒３３は、所定長さを有する軸体３４の先端に切替栓１５内へ弾力的に嵌合するピストン状の閉塞部材３５を設けて形成され、仕切り部材１０を抜き取った切替栓１５の内部に、該一人施工棒３３の閉塞部材３５を挿入した状態とすれば、切替栓１５の開口は閉塞されるので、配管に口で息を吹き込むと、往き配管の場合は空気が抜け、戻り配管の場合は空気が抜けないので、往き配管と戻り配管が判別できることになる。
【００３５】
図５に示す第２の例の一人施工棒３３は、所定長さを有する軸体３４の先端に、切替栓１５の開口端内に弾力的に嵌合する薄板の容器型閉塞部材３５を設けて形成したものである。
【００３６】
この発明の浴槽用循環接続具１ａは、上記のような構成であり、図１と図２のように、切替栓１５の切替孔１４を戻り配管の接続管３と連通させた状態に組み立てられて出荷される。
【００３７】
この浴槽用循環接続具１ａは、浴槽Ａの側壁に設けた取り付け孔を利用して、フィルター部材１３が浴槽Ａ内に位置するように取り付けられ、給湯器との接続のために、往き配管の接続管２に往き配管が、また、戻り配管の接続管３に戻り配管が接続される。
【００３８】
上記配管の接続時において、浴槽用循環接続具１ａの位置では、往き配管の接続管２と戻り配管の接続管３は表示部２０によって判別できるが、離れた位置にある給湯器と往き配管及び戻り配管を接続するときに、往き配管と戻り配管の判別ができないことになる。
【００３９】
組み立て完了の浴槽用循環接続具１ａと接続した両配管に対して、端部から口で空気を吹き込むと、何れの配管の場合も空気が抜けるため、往き配管及び戻り配管の判別ができないことになる。
【００４０】
そこで、浴槽に取り付けた浴槽用循環接続具１ａのフィルター部材１３を取り外し、次に切替栓１５から仕切り部材１０を抜き取り、図４と図５のように、一人施工棒３３の閉塞部材３５を切替栓１５の内部に挿入し、切替栓１５の先端開口を閉塞する。
【００４１】
このような状態で、配管が往き配管の接続管２に接続されている場合、吹き込まれた空気は逆止弁３１を押し開き、吐出側通路９と通路１２ａを通って吐出口１２から流出し、空気の吹き込みに対して抵抗が発生しないので、往き配管であると判断できる。
【００４２】
また、配管が戻り配管の接続管３に接続されている場合、吹き込まれた空気は、切替孔１４から切替栓１５の内部にに流れるが、この切替栓１５の先端開口は閉塞部材３５で閉塞されているので、空気の流出がなく、このため、空気の吹き込みに対して抵抗が発生し、空気の吹き込みができないことにより戻り配管であると判断できる。
【００４３】
従って、給湯器と両配管の接続時に両配管の往き配管と戻り配管の判別ができ、給湯器に対する両配管の接続時に、往き配管と戻り配管を逆に接続してしまうという間違いの発生を防止することができ、接続後において、逆接続によってユーザーからのクレームで行っていた手直し作業を不要にすることができる。
【００４４】
なお、このような往き配管と戻り配管の確認による給湯器との接続において、万一逆接続の事態が発生した場合は、吐出側通路９の途中又は吐出口１２の部分に、吐出口１２から吐出側通路９へ向けての水流を阻止する逆止弁３１が設けてあるので、戻りとなった配管が吐出側通路９を介して吐出口１２から浴槽内の水を吸引しようとすると上記逆止弁３１が閉弁し、給湯器の戻り部分に水が流れないので、給湯器は作動が停止して風呂が沸かせない状態となり、これにより、逆接続が判別できることになる。
【００４５】
【発明の効果】
以上のように、この発明によると、極性有りの浴槽用循環接続具において、吐出側通路の途中又は吐出口の部分に、吐出口から吐出側通路へ向けての水流を阻止する逆止弁を設けたので、給湯器との接続において、万一逆接続の事態が発生した場合は、戻りとなった配管が吐出口から浴槽内の水を吸引しようとすると上記逆止弁が閉弁し、給湯器は戻り部分に水が流れないので作動が停止し、風呂が沸かせない状態となるので、逆接続が判別できることになり、逆接続による手直し作業を不要にすることができる。
【図面の簡単な説明】
【図１】第１の例の逆止弁を用いたこの発明の浴槽用循環接続具を示す出荷状態時の縦断面図
【図２】第２の例の逆止弁を用いたこの発明の浴槽用循環接続具を示す出荷状態時の縦断面図
【図３】同上におけるフィルター部材の一部を切り欠いた拡大正面図
【図４】第１の例の一人施工棒を用いたこの発明の浴槽用循環接続具における往き配管及び戻り配管の確認状態を示す縦断面図
【図５】第２の例の一人施工棒を用いたこの発明の浴槽用循環接続具における往き配管及び戻り配管の確認状態を示す縦断面図
【図６】従来の浴槽用循環接続具を示す出荷状態時の縦断面図
【符号の説明】
１  浴槽用循環接続具
１ａ  浴槽用循環接続具
２  往き配管の接続管
３  戻り配管の接続管
４  外部材
５  内部材
６  フランジ部
７  ビス
８  吸込み側通路
９  吐出側通路
１０  仕切り部材
１１  吸込み口
１２  吐出口
１３  フィルター部材
１４  切替孔
１５  切替栓
１６  フランジ部
１７  フランジ部
１８  パッキン
１９  パッキン
２０  表示部
３１  逆止弁
３２  凹部
３３  一人施工棒
【図１】
2004270969.tif 000003
【図２】
2004270969.tif 000004
【図３】
2004270969.tif 000005
【図４】
2004270969.tif 000006
【図５】
2004270969.tif 000007
【図６】
2004270969.tif 000008